(57)【要約】【課題】  本考案は、傾斜面や垂直面への取り付けや取り外しが極め簡単でかつしっかり固定できる改良された切断作業用位置決め定規、および同定規を用いて、横ブレがなく垂直切断が可能で、より精密な切断ができる切断装置を提供するようにしたものである。【解決手段】  被切断材の切断面に配置され、その長手方向に設けた複数個の針状のピンおよびばねからなる留め具を有する長尺基板と、同長尺基板の長辺側に取り付けた切断刃案内板とを具えた定規。さらに切断刃案内板に沿って案内するためのガイド部と、前記案内板上を走行するローラと、前記ガイド部の反対面に配置され、ガイド部と切断案内面を挟むように配置された円盤状切断刃とを具えた切断装置。【選択図】図１
0003149016.tif 000002
【実用新案登録請求の範囲】
【請求項１】
被切断材の切断面に配置され、その長手方向に設けた複数個の針状のピンおよびばねからなる留め具を有する長尺基板と、同長尺基板の長辺側に取り付けた切断刃案内板とを具えたことを特徴とする切断作業用位置決め定規。
【請求項２】
石膏ボードなどの平板を切断する装置であって、請求項１に記載の切断刃案内板に沿って案内するためのガイド部と、前記案内板上を走行するローラと、前記ガイド部の反対面に配置され、ガイド部と切断案内面を挟むように配置された円盤状切断刃とを具えたことを特徴とする請求項１に記載の定規を用いた切断装置。
【考案の詳細な説明】
【技術分野】
【０００１】  この考案は、石膏ボードのような平板材を切断するのに適した位置決め定規および切断装置に関する。
【背景技術】
【０００２】  従来、建築現場において、石膏ボードを切断するに際しては、平定規を切断線に合わせて置き、カッターナイフなどの鋭利な刃物で石膏ボードの表面の紙と石膏の一部に切れ目を入れ、石膏ボードを折り曲げた後裏紙を切り落とし、その後、切り口面をボードやすりで仕上げていた。【０００３】  しかしながら、現場工事などで傾斜面に石膏ボードが取り付けられているとき、この傾斜面に定規を設置する場合には、ひとり作業では困難である。また、仮に傾斜面の石膏ボードに定規を設置できたとしても、カッターで切れ目を入れる際に定規がずれる場合があり、切断線に沿って正確な切れ目を入れることは難しかった。【０００４】  カッターで切断するほかに、電動丸のこを使用して切断する場合もあるが、石膏ボードの切り口が粗くなり、石膏ボードの切断加工には適していない。
さらに、切りくずや粉塵が飛散し、後片付けに時間がかかるとともに、作業環境が著しく悪化するという不具合もあった。
【考案の開示】
【考案が解決しようとする課題】
【０００５】  本考案は以上のような石膏ボードなどの切断作業の実情に鑑みてなされたもので、取り付けや取り外しが極め簡単でかつしっかり固定できる改良された切断作業用位置決め定規および同定規を用いて、横ブレがなく垂直切断が可能で、より精密な切断ができる切断装置を提供するようにしたものである。
【課題を解決するための手段】
【０００６】  被切断材の切断面に配置され、その長手方向に設けた複数個の針状のピンおよびばねからなる留め具を有する長尺基板と、同長尺基板の長辺側に取り付けた切断刃案内板とを具えた切断作業用位置決め定規であり、また、石膏ボードなどの平板を切断する装置であって、切断刃案内板に沿って案内するためのガイド部と、前記案内板上を走行するローラと、前記ガイド部の反対面に配置され、ガイド部と切断案内面を挟むように配置された円盤状切断刃とを具えた位置決め定規を用いた切断装置である。
【考案の効果】
【０００７】  このような本考案位置決め定規及び同定規を用いた切断装置によれば、定規の固定が極めて容易で、床面はもちろん傾斜面でも素早く正確に取り付けることができる。また、切断装置はこの位置決め定規に導かれて寸法的な誤差がなく簡単に精度の高い加工ができる。この切断装置は、一般の丸ノコに比べて軽量化しているので使い勝手がよく、作業時間を短縮することができる。また、切断した残り材も再利用しやすく残材が少なくなり材料費の節約にもつながる。
【考案を実施するための最良の形態】
【０００８】  本考案の１実施例を図面を用いて説明する。
図３において１は、切断作業用位置決め定規であり、長尺基板１１と同長尺基板１１の長辺側に取り付けた切断刃案内板１２、および長尺基板１１の長手方向の複数個所に設けた留め具２０から構成されている。留め具２０は、ふた２１とこれに枢着したピン２２、前記長尺基板１１に固定された内筒２３、内筒２３にスライド可能に取り付けられた外筒２４、ふた２１と内筒２３底部の間に介装されたバネ２５、内筒２３の外側壁に突設した溝ピン２６、同溝ピン２６に係合するため外筒２４に穿けられた長穴状のスライド溝２７より構成されている。
ピン２２は、長尺基板１１を貫通して被切断材、たとえば石膏ボード４に差し込むことができるようになっている。また、外筒２４の上部には、ねじ溝２８が形成されふた２１に螺合される。【０００９】  一方、図１、図２、図４を用いて切断装置５について説明する。
５１は、切断装置本体、５２は、本体５１に軸支された回転軸でモータ５３の回転を円盤状切断刃５４に伝達する。円盤状切断刃５４はチップのついていない厚み０．５ｍｍ程度の平刃が適している。５５は、同切断刃５４を囲うように配置されたカバー、５６は、同カバー５５に軸支された一対のローラで、切断作業用位置決め定規１の切断刃案内板１２上に沿って回転し、切断装置本体５１を案内する。また、５７は、前記カバー５５の一部を垂下させて構成されたガイド部で、切断刃案内板１２の側面に案内されながら移動する。５８は、把手、５９は、モータ５３のスイッチ、６０は電源コードである。【００１０】  このように構成された本考案切断作業用位置決め定規を被切断材たとえば石膏ボード４に取り付けるときには、切断刃案内板１２が正しく切断線上にあるかどうかを確認して保持し、複数の留め具２０のふた２１を押し込んでピン２２を石膏ボード４に食い込ませて長尺基板１１を固定する。石膏ボード４は床面に置かれている状態の他、垂直に建てつけられた状態、傾斜状態の場合にも使用できる。このため、長尺基板１１は軽量化の目的でアルミ材で、切断刃案内板１２はステンレス材で作るようにするのが好ましい。【００１１】また、留め具２０のピン２２の長さは、外筒２４を内筒２３に沿って最下端まで押し下げたときに、石膏ボード４の下面より飛び出さないように調節しておく必要がある。さらに外筒２４と内筒２３は互いにスライドできる径寸法であって、かつ両者にはそれぞれスライド溝２７と溝ピン２６が形成されて、互いの回動運動を規制するようになっている。さらにまた、ふた２１と内筒２３底部の間にバネ２５が介装されているので、定規１の着脱作業が簡単にできる。また、ピン２２の交換を容易にするためにふた２１には、ねじで枢着されるとともに外筒２４の上部には、ねじ溝２８が形成されふた２１に螺合されるようにしている。【００１２】  このようにして、切断材に取り付けられた切断作業用位置決め定規１は、切刃案内板１２に沿ってカッターナイフなどの鋭利な刃物や、電動回転刃を回転させながら切断作業をするのに用いられる。【００１３】  また、切断作業用位置決め定規１に本考案切断装置を配置するときには、定規１の切刃案内板１２の両側面をカバー５５のガイド部５７と円盤状切断刃５４とで挟み込むと共に、一対のローラ５６を定規１の切刃案内板１２の上面に載せる。円盤状切断刃は、図１の矢印Ａの方向に回転しているので、矢印Ｂの方向に引きながら切断する。もちろん、押しながら切断しても差し支えない。
【実施例】
【００１４】  厚みが異なる石膏ボード４を切断するときには、ローラ５６が走行する切刃案内板１２の高さが異なるものと取り替える。また、ローラ５６の支軸を変更するようにしてもよい。
このような装置によれば、石膏ボードのような平板材をチップのついていない厚み０．５ｍｍ程度の平刃による円盤状切断刃５４で切断するので、切り口角部がきれいに加工でき、切り口面をボードややすりで再仕上げする必要が全くない。しかも厚み方向の切残しがなく、切断刃が薄いので排出される切り粉の量も極端に少なく作業環境を改善できる。【００１５】  通常店舗工事などにおいて、軽鉄間仕切り壁では、先に取り付けたスリットバーの間に、石膏ボードの寸法を合わせ切りして取り付けていたが、本考案切断装置を使用すれば作業工程を入れ替えて効率よく取り付けることができる。すなわち、まず間仕切り壁全体に石膏ボードを取り付けた後、スリットバーの取り付け位置部分の幅の石膏ボードを本考案切断装置で切り取り、この切取り部分にスリットバーを取り付けるのである。これは、本考案定規が、垂直面や傾斜面でも正確に位置決めし固定できること、本考案定規に切断装置の円盤状切断刃が直角に取り付けできるので精密な工事ができること、切断装置のローラを付けているので切断深さが一定で、スライド移動も極めてスムースにできること、切り粉の量が少ないので粉塵も少なく、室内作業環境を向上できること、などの理由によるところが大きい。【００１６】  また、本考案の切断作業用位置決め定規ならびに切断装置は、軽量・小型であり、作業がやりやすく、持ち運びにも便利である。本考案の説明では石膏ボードを代表して説明したが、石膏ボードに限らず各種板材や同種の材料にも適用できることは言うまでもない。【００１７】  以上図示し説明したように本考案の切断用定規および同定規を用いた切断装置によれば定規の固定が容易であるため寸法的な誤差がなく、簡単に精度の高い加工ができるとともに、切断装置は一般の丸ノコに比べて軽量化しているので使い勝手がよく、作業時間を短縮することができる。また、切断した残り材も再利用しやすく残材が少なくなり材料費の節約にもつながる。
【図面の簡単な説明】
【００１８】
【図１】本考案装置の使用状態を示す一部断面側面図
【図２】図１の一部断面背面図
【図３】本考案切断作業用位置決め定規の全体平面図
【図４】図２の要部拡大断面図
【図５】図３のＶ−Ｖ線切断矢視図
【図６】本考案位置決め定規のふたとピンの詳細図
【図７】定規の内筒の詳細図
【図８】定規の外筒の詳細図
【符号の説明】
【００１９】  １    定規
１１  長尺基板
１２  切刃案内板
２０  留め具
２３  内筒
２４  外筒
２５  バネ
４    石膏ボード
５１  切断装置本体、
５３  モータ
５４  円盤状切断刃
５６  ローラ
５７  ガイド部
【図１】
0003149016.tif 000003
【図２】
0003149016.tif 000004
【図３】
0003149016.tif 000005
【図４】
0003149016.tif 000006
【図５】
0003149016.tif 000007
【図６】
0003149016.tif 000008
【図７】
0003149016.tif 000009
【図８】
0003149016.tif 000010
【手続補正書】
【提出日】平成20年12月4日(2008.12.4)
【手続補正１】
【補正対象書類名】実用新案登録請求の範囲
【補正対象項目名】請求項２
【補正方法】変更
【補正の内容】
【請求項２】
石膏ボードなどの平板を切断する装置であって、上記切断刃案内板に沿って案内するためのガイド部と、上記案内板上を走行するローラと、前記ガイド部の反対面に配置され、ガイド部と切断案内面を挟むように配置された円盤状切断刃とを具えたことを特徴とする請求項１に記載の定規を用いた切断装置。